(57)【特許請求の範囲】
【請求項１】
フレキシブル印刷配線基板の接続端子を挿入する開口部が形成されたハウジングと、該ハウジング内に前記開口部に沿って並設された複数本の可撓性のコンタクトと、導電部からなるメイン基板上に前記ハウジングを配設した固定装置とを少なくとも具えたフレキシブル印刷配線基板用コネクタにおいて、
前記コンタクトは、前記メイン基板の導電部に連結することなく配設され、
さらに前記コンタクトは、
前記接続端子に当接する第１の接触部を有する第１のアームと、
該第１のアームと対向して配設され、前記第１のアームと導通する第２のアームであって、前記挿入されたフレキシブル印刷配線基板に対向する押圧部と、前記ハウジングを前記固定装置に固定する際、前記導電部に対向する第２の接触部とを有する第２のアームとから構成され、
前記ハウジングには、前記第２の接触部が突出する孔が形成されており、
前記ハウジングを前記固定装置に固定する際、前記コンタクトは、前記ハウジングと前記メイン基板との間に挟持され、挟持された際に作用する押圧力によって、前記第２の接触部が前記メイン基板の前記導電部に圧接するとともに、前記押圧部により前記フレキシブル印刷配線基板を押圧して前記接続端子が前記第１の接触部に圧接し、これにより、前記フレキシブル印刷配線基板の前記接続端子と前記メイン基板の前記導電部との間の電気的接続を図るようにしたことを特徴とするコネクタ。
【請求項２】
前記ハウジングは、軸を有し、該軸を介し前記固定装置に回動自在に支承されていることを特徴とする請求項（１）記載のコネクタ。
【請求項３】
前記固定装置は、
前記メイン基板に固定され、前記ハウジングの両端を位置決め支承する一対のアームと、該一対のアームに配設され、前記軸から所定間隔離間した位置の前記ハウジングを前記第２のアームの弾発力に抗して係止する係止手段とを有し、
前記ハウジングの前記両端を前記一対のアーム間に位置決めした際に、前記係止手段によって前記ハウジングを係止し、前記導電部と前記第２の接触部との圧接および前記接続端子と前記第１の接触部との圧接を保持して、前記フレキシブル印刷配線基板の前記接続端子と前記メイン基板の前記導電部との間の電気的接続を図るようにしたことを特徴とする請求項（２）記載のコネクタ。
【発明の詳細な説明】
【０００１】
【発明の属する技術分野】
この発明は、ノート型パソコン等の小型電子機器内に使用されるコネクタに関し、特に、フレキシブル印刷配線基板の一端に形成された可撓性金属導体をメイン基板の導電部に接続させるフレキシブル印刷配線基板用コネクタの改良に関する。
【０００２】
【従来の技術】
従来から、ノート型パソコン等の小型電子機器内に配設されたマザーボード等のメイン基板に、フレキシブル印刷配線基板（以下単にＦＰＣと言う）の接続端子を接続させる装置として、フレキシブル印刷配線基板用コネクタ（以下ＦＰＣ用コネクタと言う）が使用されている。
【０００３】
この従来のＦＰＣ用コネクタには、ＦＰＣが可撓性を有する性質上、いわゆる無挿入力構造が採用されており、この無挿入力構造のコネクタによると、コネクタ内のコンタクトは、ＦＰＣを装着する際にはＦＰＣに接触圧を与えず、またＦＰＣ装着後には所定の接触圧をもってＦＰＣに接触するので、安定した電気的接続を図ることができる。
【０００４】
従来の無挿入力構造のＦＰＣ用コネクタ７１は、例えば、ＦＰＣ用コネクタの概念断面図で示す図６（ａ）で示すように、開口部２ａが形成されたハウジング２と、ハウジング２内にその開口部２ａに沿って並設された複数本の可撓性金属導体からなるコンタクト７２と、開口部２ａ内に嵌挿するスライダー７３とから構成されている。
【０００５】
このうち、各コンタクト７２は、先端７２ａが二股に分岐しており、先端７２ａの下端７２ｂには、その上面に接触部７３が形成されている。また、接触部７３の上面と、接触部７３に対向するコンタクト７２の上端７２ｃとの間には、ＦＰＣ５１を嵌挿するのに十分なスペースが形成されている。
【０００６】
また、コンタクト７２の後端７２ｄには、ハウジング２をメイン基板６１に固定する脚部７４が延設されており、この脚部７４は、メイン基板６１に形成された導電部６２に連結されている。
【０００７】
この従来のＦＰＣ用コネクタ７１では、スライダー７３をメイン基板６１と平行に配設した後、ＦＰＣ５１の接続端子５２を開口部２ａに矢印Ａで示すようにメイン基板６１に沿って嵌挿すると、コンタクト内７２にはＦＰＣ５１を嵌挿するのに十分なスペースが形成されているから、ＦＰＣ５１はコンタクト７２から接触圧を受けることなくコンタクト７２内に嵌挿する。
次に、スライダー７３を同じく開口部２ａ内に矢印Ａの如く水平に嵌挿すると、図６（ａ）と同一部分を同一符号で示す図６（ｂ）のように、スライダー７３の押圧部７３ａがＦＰＣ５１を下方に押圧し、ＦＰＣ５１の各接続端子５２と対応する各コンタクト７２の接触部７３とが互いに圧接するので、これにより、ＦＰＣ５１の接続端子５２とメイン基板６１の導電部６２との間の電気的接続が図られる。
【０００８】
また、上述したＦＰＣ用コネクタ７１のスライダー７３に代え、操作レバーを具えた無挿入力構造のＦＰＣ用コネクタもある。
【０００９】
このＦＰＣ用コネクタ８１は、スライダー７３に代え、図６（ａ）と同一部分を同一符号で示す図７（ａ）のように、操作レバー７７が配設している。
この操作レバー７７は、開口部２ａに近接した位置のハウジング２内に回動自在に支承されており、接触部７３の上面と、その上方の操作レバー７７との間には、ＦＰＣ５１を嵌挿するのに十分なスペースが形成されている。
このＦＰＣ用コネクタ８１では、ＦＰＣ５１の接続端子５２を開口部２ａに矢印Ａで示すようにメイン基板６１に沿って嵌挿すると、接触部７３の上面とその上方の操作レバー７２との間には、ＦＰＣ５１を嵌挿するのに十分なスペースが形成されているから、ＦＰＣ５１はコンタクト７２や操作レバー７７から接触圧を受けることなくコンタクト７２内に嵌挿する。
次に、操作レバー７７を矢印Ｂで示すように回転すると、図７（ａ）と同一部分を同一符号で示す図７（ｂ）のように、操作レバー７７の押圧部７７ａがＦＰＣ５１を下方に押圧し、ＦＰＣ５１の各接続端子５２と対応する各コンタクト７２の接触部７３とが互いに圧接するので、これにより、ＦＰＣ５１の接続端子５２とメイン基板６１の導電部６２との間の電気的接続が図られる。
【００１０】
【発明が解決しようとする課題】
ところで、上述した従来の無挿入力構造のＦＰＣ用コネクタ７１、８１では、ＦＰＣ５１が装着されるハウジング２は、その開口部２ａがメイン基板６１に沿って配設されており、ＦＰＣ５１は、図６（ｂ）、図７（ｂ）の矢印Ａで示すように、メイン基板６１に沿って開口部２ａに嵌挿されるから、近年のコネクタの高さ方向のコンパクト化、すなわち低背化によって、ＦＰＣ５１の嵌挿作業を行うスペースが狭小化し、その嵌挿作業が困難となり、ＦＰＣ５１とメイン基板６１との電気的接続作業が煩雑であるという問題があった。
【００１１】
さらに、図６（ａ）で示すスライダー７３を具えた従来のコネクタ７１では、スライダー７３の挿入も矢印Ａで示すようにメイン基板６１に沿って行うため、同様の理由によってスライダー７３の嵌挿作業も困難であり、また、図７（ａ）で示す操作レバー７７を具えた従来のコネクタ８１でも、操作レバー７７は開口部２ａに近接した位置のハウジング２内に支承されているから、コネクタ８１の低背化によって操作レバー７７の操作スペースが狭く、その操作が困難であった。したがって、ＦＰＣ用コネクタ７１、８１にスライダー７３や操作レバー７７を配設することは、電気的接続作業を一層煩雑化させる要因ともなっていた。
【００１２】
また、従来のＦＰＣ用コネクタ７１、８１では、スライダー７３や操作レバー７７を介してＦＰＣ５１の接続端子５２とメイン基板６１の導電部６２との間を電気的に接続することとしていたから、部品点数が多いという問題もあった。
【００１３】
この発明は、上述した事情に鑑み、少ない部品点数で、フレキシブル配線基板の電気的接続を簡単に行うことができ、かつ、高さ方向にコンパクト化が図られた無挿入力構造のフレキシブル印刷配線基板用コネクタを提供することを目的とする。
【００１４】
【課題を解決するための手段】
上述した課題を解決するため、この発明では、フレキシブル印刷配線基板（ＦＰＣ）の接続端子を挿入する開口部が形成されたハウジングと、該ハウジング内に前記開口部に沿って並設された複数本の可撓性のコンタクトと、導電部からなるメイン基板上に前記ハウジングを配設した固定装置とを少なくとも具えたフレキシブル印刷配線基板用コネクタ（ＦＰＣ用コネクタ）において、前記コンタクトは、前記メイン基板の導電部に連結することなく配設され、さらに前記コンタクトは、前記接続端子に当接する第１の接触部を有する第１のアームと、該第１のアームと対向して配設され、前記第１のアームと導通する第２のアームであって、前記挿入されたフレキシブル印刷配線基板に対向する押圧部と、前記ハウジングを前記固定装置に固定する際、前記導電部に対向する第２の接触部とを有する第２のアームとから構成され、前記ハウジングには、前記第２の接触部が突出する孔が形成されており、前記ハウジングを前記固定装置に固定する際、前記コンタクトは、前記ハウジングと前記メイン基板との間に挟持され、挟持された際に作用する押圧力によって、前記第２の接触部が前記メイン基板の前記導電部に圧接するとともに、前記押圧部により前記フレキシブル印刷配線基板を押圧して前記接続端子が前記第１の接触部に圧接し、これにより、前記フレキシブル印刷配線基板の前記接続端子と前記メイン基板の前記導電部との間の電気的接続を図っている。
【００１５】
【発明の実施の形態】
以下、この発明に係わるＦＰＣ用コネクタの一実施例について詳述する。
図１は、この発明に係わるＦＰＣ用コネクタの概念斜視図である。
この発明のＦＰＣ用コネクタ１は、図１で示すＦＰＣ５１の一方の面５１ａに形成された接続端子５２と、メイン基板６１に形成された導電部６２との間を電気的に接続させるためのコネクタである。
【００１６】
このコネクタ１は、開口部２ａがメイン基板６１の上方に向け配置された略矩形状のハウジング２と、該ハウジング２内に開口部２ａに沿って並設された複数本の可撓性のコンタクト１１と、ハウジング２をメイン基板６１上に固定するための固定装置２１とから構成されている。
【００１７】
このうち、ハウジング２は、略矩形状の絶縁体部材からなり、両端２ｂには、メイン基板６１側に一対の軸３が突設されている。この各軸３は、固定装置２１の各軸受部２９にそれぞれ嵌挿している。
また、ハウジング２の両端２ｂには、各軸３に近接した位置に、図示せぬ凸部が突設されている。
また、ハウジング２の両端２ｂであって軸３から所定間隔離間した位置には、ハウジング２の上面２ｃ側に、該上面２ｃに向け一対の嵌合溝４が形成されており、また、ハウジング２の下面２ｄ側には、該下面２ｄに向け一対の切り欠５が形成されている。
また、ハウジング２の下面２ｄには、ハウジング２の幅方向に複数の孔２ｅが並設されている。
【００１８】
一方、ハウジング２内に開口部２ａに沿って並設された複数本の可撓性のコンタクト１１は、可撓性の金属導体からなり、各コンタクト１１は、図１の要部概念断面図で示す図２のように、その先端１１ａが二股に分岐している。
【００１９】
この先端１１ａは、第１のアーム１２と、該第１のアーム１２と対向して配設され、第１のアーム１２と導通する第２のアーム１４から構成されており、このうちの第１のアーム１２には、図１で示すように、先端１２ａの下面に第１の接触部１３が形成されている。
なお、第１のアーム１２の先端１２ａのハウジング２内の面２ｆとの間には、第１のアームが撓むためのスペースが形成されている。
一方、第２のアーム１４には、その先端１４ａの第１の接触部１３と対向する位置に、第１のアーム１２に向け突出する押圧部１５が形成されており、また、この押圧部１５の反対側には、ハウジング２の孔２ｅから突出する第２の接触部１７が形成されている。
また、コンタクト１１の第１の接触部１３と押圧部１５のとの間には、ＦＰＣ５１の板厚より若干広いスペースが形成されている。
【００２０】
一方、図１で示す固定装置２１は、メイン基板６１に固定され、ハウジング２の両端２ｂを位置決め支承する一対のアーム２２と、軸３から所定間隔離間した位置の各アーム２２に配設される係止手段２４とから構成されている。
【００２１】
このうち、一対のアーム２２は、略コの字形状の金属部材２０（図４）の両端を構成しており、金属部材２０が弾性力のある材質からなるため、一端２２ａ側が幅方向外側へ拡開可能である。
また、この一対のアーム２２は、ハウジング２の両端２ｂの両外側に配設されており、各アーム２２は固定部２３でメイン基板６１に固定されている。
また、各アーム２２の他端２２ｂには、ハウジング２の軸３を支承する軸受部２９が配設されており、他端２２ｂで軸受部２９と近接した位置の内壁２２ｃには、ハウジング２の凸部を嵌合する凹部（図示せぬ）が形成されている。
【００２２】
また、各アーム２２に配設される係止手段２４は、各軸３から所定間隔離間した位置の各アーム２２に、該アーム２２の上方から内部に向け延設される舌片２５と、舌片２５の下方で舌片２５と対向する位置に形成される舌片２６とから構成されている。
このうちの舌片２５には、緩やかな面２５ａが形成されており、また、アーム２２内の舌片２５間は、ハウジング２の幅より若干狭い間隔に設定されている。また、舌片２６は、ハウジング２に形成した切り込みを内部に向け押し倒して形成されている。
次に、このＦＰＣ用コネクタ１の作用を説明し、併せて構成をより詳細に説明する。
【００２３】
このＦＰＣ用コネクタ１によると、ハウジング２は、図１で示すように、軸３を介し固定装置２１に対し回動自在に支承されているが、ＦＰＣ５１を開口部２ａに挿入する前では、図１および図２で示すように、ハウジング２の図示せぬ凸部と固定装置２１の図示せぬ凹部との嵌合によって、開口部２ａがメイン基板６１に対し上方を向いた状態を維持してその回転を停止している。
【００２４】
このとき、ＦＰＣ５１をその先端５１ｂ側から矢印Ｃで示すようにハウジング２の開口部２ａ内に挿入すると、コンタクト１１の第１の接触部１３と押圧部１５との間にはＦＰＣ５１の板厚より若干広いスペースが形成されているため、ＦＰＣ５１はコンタクト１１から接触圧を受けることなく容易にコンタクト１１内に嵌挿する。
【００２５】
また、このようにハウジング２の開口部２ａがメイン基板６１に対し上方を向いた状態では、開口部２ａの上方に、ＦＰＣ５１の嵌挿作業を行うためのスペースが十分に確保されているから、このコネクタ１がメイン基板６１に装着された際の高さ方向のコンパクト化、すなわち、低背化を図られたコネクタである場合にも、ＦＰＣ５１の嵌挿作業を簡単に行うことができる。
【００２６】
また、ハウジング２の開口部２ａがメイン基板６１から離間した位置にあるから、ＦＰＣ５１を嵌挿する際、開口部２ａの視覚性が良好で、これにより、更にＦＰＣ５１の嵌挿作業を簡単に行うことができる。
【００２７】
次に、コンタクト１１内に嵌挿されるＦＰＣ５１の先端５１ｂが、図２と同一部分を同一符号で示す図３のように、コンタクト内の所定の位置に達すると、接続端子５２は第１のアーム１２の第１の接触部１３と対向する位置に配置される。また、接続端子５２の裏面に位置するＦＰＣ５１は、第２のアーム１４の押圧部１５に対向する位置に配置される。
【００２８】
次に、ハウジング２に、図３の矢印Ｄで示すように力を加えると、ハウジング２の図示せぬ凸部と固定装置２１の図示せぬ凹部との嵌合が外れ、これにより、ハウジング２が、矢印Ｅで示すように軸３を介し回転する。
一方、アーム２２内に突出する舌片２５間は、ハウジング２の幅より若干狭い間隔に設定されているから、軸３を中心に回転するハウジング２は、図１で示す切り欠５で舌片２５の緩やかな面２５ａに摺接し、この切り欠５で緩やかな面２５ａを押圧して一対のアーム２２をハウジング２の幅方向外側へ拡開させる。
【００２９】
そして、舌片２５が嵌合溝４に達するまでハウジング２が回動すると、図１と同一部分を同一符号で示す図４のように、スナップアクションによって舌片２５が嵌合溝４に嵌着し、同時に、アーム２２は弾発力によって元の状態に復帰しハウジング２の両端２ｂを把持するので、これにより、ハウジング２はアーム２２に嵌着してメイン基板６１に固定されることとなる。
【００３０】
また、このように固定装置２１を介しハウジング２をメイン基板６１に固定した際、ハウジング２の下面２ｄは、図３と同一部分を同一符号で示す図５のように、メイン基板６１に当接する一方、ハウジング２の孔２ｅから第２の接触部１７を突出させていたコンタクト１１は、図５で示すように、ハウジング２とメイン基板６１との間に挟持され、挟持された際に作用する押圧力によって、第２のアーム１４の弾発力に抗し、第２の接触部１６が導電部６２に圧接されるとともに、第２のアーム１４がハウジング２３内で内側に向け弾発的に撓んでその押圧部１５が接続端子５２を押圧し、ＦＰＣ５１の接続端子５２が第１の接触部１３に圧接されるので、これにより、ＦＰＣ５１の接続端子５２とメイン基板６１の導電部６２との間の電気的接続が図られることとなる。
【００３１】
このように、このＦＰＣ用コネクタ１では、ハウジング２を固定装置２１を介してメイン基板６１に固定する際、コネクタ１１をハウジング２とメイン基板６１との間で挟持するのみで電気的接続を図ることができ、従来のように電気的接続のためスライダーや操作レバーを具える必要はないから、その分、部品点数を少なくすることができ、製造コストを低くすることができる。
【００３２】
また、ＦＰＣ用コネクタ１では、上述のように、ハウジング２を固定装置２１を介してメイン基板６１に固定するのみで電気的接続を図ることができ、その際、従来のようなスライダーや操作レバーの操作作業は不要であるから、その分、電気的接続作業を簡単にすることができ、ＦＰＣ用コネクタにスライダーや操作レバーを配設することにより生じていた従来の問題、すなわち、コネクタ１の低背化に伴ってスライダーや操作レバーの操作作業の作業スペースが狭小化し、電気的接続作業が煩雑化するという問題も生じない。
【００３３】
また、ＦＰＣ用コネクタ１では、電気的接続を図る際、ＦＰＣ用コネクタ１の最大部品であるハウジング２を操作するので、スライダー等を操作していた従来に比し、電気的接続作業を簡単にすることができる。
【００３４】
また、このようにハウジング２とメイン基板６１とでコンタクト１１を挟持した際作用する押圧力によって電気的接続を図ることにより、コンタクト１１の低背化によって第１のアーム１２および第２のアーム１４が撓むためのスペースが狭い場合にも、接続端子５２と対応する第１の接触部１３との間の大きな圧接力を確保して、電気的な接続不良を防止することができる。
【００３５】
一方、このＦＰＣ用コネクタ１では、ハウジング２がメイン基板６１に固定される際、図４で示すように、ハウジング２はアーム２２に嵌着し、これにより、アーム２２によって幅方向に位置決めがされ、舌片２５と嵌合溝４との嵌着によって、コネクタ１の高さ方向の位置決めがされるので、ハウジング２はメイン基板６１に確実に固定される。
【００３６】
そのため、ハウジング２は、係止手段２４によって、第２のアーム１４の弾発力に抗しアーム２２に係止された状態を維持することとなり、これにより、図５で示す導電部６１と第２の接触部１７との圧接および接続端子５２と第１の接触部１３との圧接を保持されるから、ＦＰＣ５１の接続端子５２とメイン基板６１の導電部６２との間の電気的接続が安定して行われることとなる。
【００３７】
また、ハウジング２１が係止手段２４によってメイン基板６１に固定された際、図１で示す切り欠５も舌片２６に嵌合する。
そのため、ハウジング２の幅方向の位置決め、およびＦＰＣ用コネクタ１の高さ方向の位置決めはさらに確実に行なわれ、これにより、ＦＰＣ５１の接続端子５２とメイン基板６１の導電部６２との間の電気的接続をさらに安定して行なうことができる。
【００３８】
なお、この実施例のＦＰＣ用コネクタ１では、ハウジング２は軸３を介し固定装置２１に回動自在に支承されることとしたが、ハウジング２はこれに限定せず、例えば、ハウジング２は、固定装置２１と離脱可能であって、固定装置２１と離脱した状態でＦＰＣ５１を嵌挿するものであってもよく、このようにすると、上述した実施例のＦＰＣ用コネクタ１と同様、ＦＰＣ５１の嵌挿作業が簡単で、メイン基板６１とＦＰＣ５１との電気的接続作業を簡単に行うことができる。
【００３９】
なお、この実施例のコネクタ１は、ＦＰＣ用コネクタとしたが、この発明のコネクタはこれに限定されず、可撓性金属導体を接続させるコネクタであればよく、例えば、フレキシブルフラットケーブルの接続端子５２を接続させるフレキシブルフラットケーブル用コネクタであってもよい。
【００４０】
【発明の効果】
以上説明したように、この発明に係わるＦＰＣ用コネクタは、フレキシブル印刷配線基板（ＦＰＣ）の接続端子を挿入する開口部が形成されたハウジングと、該ハウジング内に前記開口部に沿って並設された複数本の可撓性のコンタクトと、導電部からなるメイン基板上に前記ハウジングを配設した固定装置とを少なくとも具えたフレキシブル印刷配線基板用コネクタにおいて、コンタクトは、メイン基板の導電部に連結することなく配設され、さらにコンタクトは、ＦＰＣの接続端子に当接する第１の接触部を有する第１のアームと、該第１のアームと対向して配設され、第１のアームと導通する第２のアームであって、前記挿入されたＦＰＣに対向する押圧部と、ハウジングを固定装置に固定する際、導電部に対向する第２の接触部とを有する第２のアームとから構成され、ハウジングには、第２の接触部が突出する孔が形成されており、ハウジングを固定装置に固定する際、コンタクトは、ハウジングとメイン基板との間に挟持され、挟持された際に作用する押圧力によって、第２の接触部がメイン基板の導電部に圧接するとともに、押圧部によりＦＰＣを押圧して接続端子が第１の接触部に圧接し、これにより、ＦＰＣの接続端子とメイン基板の導電部との間の電気的接続を図るようにしたから、ハウジングがメイン基板に対しその開口部が上方を向いた状態、すなわち、ＦＰＣの嵌挿作業を行うためのスペースが十分に確保されている状態でＦＰＣを嵌挿することができる。
【００４１】
したがって、低背化が図られたＦＰＣ用コネクタであっても、ＦＰＣの嵌挿作業を簡単にすることができる。
【００４２】
また、ハウジングの開口部がメイン基板から離間した位置にあるから、ＦＰＣを嵌挿する際、開口部の視覚性が良好で、これにより、更にＦＰＣの嵌挿作業を簡単に行うことができる。
【００４３】
また、この発明に係わるＦＰＣ用コネクタでは、ハウジングを固定装置を介してメイン基板に固定する際、コンタクトをハウジングとメイン基板とで挟持するのみで電気的接続を図ることができ、従来のように電気的接続のためスライダーや操作レバーを具える必要はないから、その分、部品点数を少なくすることができる。
【００４４】
また、この発明に係わるＦＰＣ用コネクタでは、上述のように、ハウジングを固定装置を介してメイン基板に固定するのみで電気的接続を図ることができ、その際、スライダーや操作レバーの操作作業は不要であるから、電気的接続作業を簡単にすることができ、ＦＰＣ用コネクタにスライダーや操作レバーを配設することにより生じていた従来の問題、すなわち、コネクタの低背化に伴うスライダーの嵌挿作業等の作業スペースが狭小化し、電気的接続作業が煩雑するという問題も生じない。
【００４５】
また、ＦＰＣ用コネクタでは、電気的接続を図る際、ＦＰＣ用コネクタの最大部品であるハウジングを操作するので、スライダー等を使用する従来に比し、電気的接続作業を簡単にすることができる。
【００４６】
したがって、この発明によれば、少ない部品点数で、フレキシブル配線基板（ＦＰＣ）の電気的接続を簡単に行うことができ、かつ、高さ方向にコンパクト化が図られた無挿入力構造のフレキシブル配線基板用コネクタ（ＦＰＣ用コネクタ）を提供することができ、これにより、低背化が図られた安価なノート型パソコン等の小型電子機器を提供することができる。
【図面の簡単な説明】
【図１】図１は、この発明に係わるＦＰＣ用コネクタの概念斜視図で、ＦＰＣ装着前の様子を示す図。
【図２】図２は、この発明に係わるＦＰＣ用コネクタの要部概念断面図で、ＦＰＣ装着前の様子を示す図。
【図３】図３は、この発明に係わるＦＰＣ用コネクタの要部概念断面図で、ＦＰＣ装着途中の様子を示す図。
【図４】図４は、この発明に係わるＦＰＣ用コネクタの概念斜視図で、ＦＰＣ装着後の様子を示す図。
【図５】図５は、この発明に係わるＦＰＣ用コネクタの要部概念断面図で、ＦＰＣ装着後の様子を示す図。
【図６】図６（ａ）はＦＰＣ装着前の従来のＦＰＣ用コネクタの様子を示す概念断面図で、図６（ｂ）はＦＰＣ装着後の従来のＦＰＣ用コネクタの様子を示す概念断面図。
【図７】図７（ａ）は、ＦＰＣ装着前の従来のＦＰＣ用コネクタの様子を示す概念断面図で、図７（ｂ）はＦＰＣ装着後の従来のＦＰＣ用コネクタの様子を示す概念断面図。
【符号の説明】
１…フレキシブル印刷配線基板用コネクタ（ＦＰＣ用コネクタ）
２…ハウジング
２ｂ…両端
３…軸
１１…コンタクト
１２…第１のアーム
１３…第１の接触部
１４…第２のアーム
１５…押圧部
１６…第２の接触部
２１…固定装置
２２…一対のアーム
２４…係止手段
５１ａ…フレキシブル印刷配線基板（ＦＰＣ）
５２…接続端子
５２ａ…開口部
６１…メイン基板
６２…導電部
【図１】
0004270418.tif 000002
【図２】
0004270418.tif 000003
【図３】
0004270418.tif 000004
【図４】
0004270418.tif 000005
【図５】
0004270418.tif 000006
【図６】
0004270418.tif 000007
【図７】
0004270418.tif 000008